(57)【要約】  調節可能の資料挟持装置であって、資料をその中に収納し、且つ挟持することができる一つの挟持枠と、少なくとも一つの挟持部材から構成されており、挟持部材の開口部は内側に向いて挟持枠（10）の中に設けられ、それが挟持枠の内部において滑動することによって挟持枠の内部空間を調節することができ、且つ所定の位置に調節したとき固定部材で挟持枠と挟持部材とを固定させる。挟持枠は、底側の長辺と、それと直交する後側の長辺、及び二つの長辺の両端に設けられた二つの短辺によって囲まれた、両側部が開放された直方体状の枠形体であり、挟持部材は、挟持枠（10）の形状と対応するU字形の凹状体であって、挟持枠と挟持部材の間に一つ又は多数の伸縮可能、且つ取外し自在のルーズリーフ連接部材を連結させる。一つの挟持部材を移動、または二つの挟持部材を同時に移動することによって、二つのルーズリーフあるいは非ルーズリーフの空間を形成させることができる。本考案の資料挟持装置は、穴を開けたルーズリーフ類の資料と非ルーズリーフ類の資料を収納し、且つ同時に挟持することができる。また、資料放置の空間を自由に調整でき、且つ資料ファイルとあわせて使用することができる。0003137788.tif 000002
【実用新案登録請求の範囲】
【請求項１】
調節可能の資料挟持装置であって、資料を収納し、且つ挟持ことができる一つの挟持枠（10）と、少なくとも一つの挟持部材（20）から構成されており、挟持部材（20）の開口は内側に向いて挟持枠（10）の中に設けられ、それが挟持枠の内部において滑動することによって挟持枠の内部空間を調節でき、且つ所定の位置に調節したとき固定部材（30）で挟持枠（10）と挟持部材（20）とを固定することを特徴とするように設けられた調節可能の資料挟持装置。
【請求項２】
請求項１記載の調節可能の資料挟持装置において、前記挟持枠（10）は、底側の長辺（11）と、それと直交する後側の長辺（12）、及び二つの長辺の両端に設けられた二つの短辺（13）によって囲まれた、両側が開放された直方体状の枠形体であり、前記二つの短辺（13）上に調節用の縦向きの棒状孔（131）を設け、底側の長辺（11）上に多数の開口部（111）、カバーに連結するための連結孔（112）及び調節可能の長孔（113）を設け、後側の長辺（12）上にルーズリーフ連接部材を設置するための縦向きの棒状孔（121）と方孔（122）を設けることを特徴とする調節可能の資料挟持装置。
【請求項３】
請求項１記載の調節可能の資料挟持装置において、前記挟持部材（20）は、挟持枠（10）の形状に対応するU 字形の凹状体であって、その二つの短辺上に挟持枠の両短辺上の縦向きの棒状孔（131）に対応する連結孔（211）を設け、その長辺上に挟持枠の後側の長辺上の棒状孔（121）、方孔（122）に対応する縦向きの棒状孔（212）、方孔（213）を設けることを特徴とする調節可能の資料挟持装置。
【請求項４】
請求項２または３記載の調節可能の資料挟持装置において、挟持枠（10）と挟持部材（20）の間は、挟持枠上の棒状孔（121）と方孔（122）、及び挟持部材上の棒状孔（212）、方孔（213）を通じて、一つ又は多数の伸縮可能、且つ取外し自在のルーズリーフ連接部材（40）を連結させることを特徴とする調節可能の資料挟持装置。
【請求項５】
請求項４記載の調節可能の資料挟持装置において、前記ルーズリーフ連接部材（40）は、柱状体（41）とスリーブ（42）の相互移動自在な連結によって構成されたものであって、柱状体（41）は直径が異なる二つの柱状部（411、412）から構成され、その直径が小さい柱状部（411）を運動自在にスリーブ（42）の内孔（422）中に挿入し、スリーブの内孔（422）中にスプリングを設け、且つ柱状部（412）の端部とスリーブ（42）の密封端部にサイズが比較的小さい方形の連結柱（413、421）を設け、使用の時それらを挟持枠の後側の長辺（12）上の方孔（122）、及び挟持部材の方孔（2112、2212）の中に挿入し、或いは、その中の一つの連結部材の両方形連結柱を挟持枠の後側の長辺（12）上の縦向きの棒状孔（121）、及び挟持部材の縦向きの棒状孔（2111、2211）に挿入し、それを縦向きの棒状孔に沿って移動させることを特徴とする調節可能の資料挟持装置。
【請求項６】
請求項４記載の調節可能の資料挟持装置において、挟持枠（10）の底側の長辺（11）上に、一対又は複数対のルーズリーフ連結部材（40）を設置するためのルーズリーフ連結部材固定部（44）を設け、各対の固定部上にルーズリーフ連結部材の方形連結柱（413）、（421）と対応する方孔を設けることを特徴とする調節可能の資料挟持装置。
【請求項７】
請求項１記載の調節可能の資料挟持装置において、挟持枠（10）の中に、二つの挟持部材（21）、（22）を設け、それらの開口を反対方向、又は同一方向に設け、その中の一つの挟持部材、或いは、同時に二つの挟持部材を移動することによって、ルーズリーフ及び非ルーズリーフ資料の二つの挟持空間を形成することを特徴とする調節可能の資料挟持装置。
【請求項８】
請求項１記載の調節可能の資料挟持装置において、挟持枠（10）の底側の長辺（11）の外側に、カバーと連結するための調節可能の連結板（50）を連接させ、連結板（50）が同一の平面に設けられた二つの移動板（51）、（52）によって構成され、両移動板の上に挟持枠の底側の長辺の連結孔（112）と調節可能の棒状孔（113）に対応する連結孔（511）、（521）を設け、移動板のひとつを他の移動板に関し離隔、近接させて幅を調節し、所定の位置に調節した後、固定部材で挟持枠の底側の長辺の棒状孔（113）と連結板上の棒状孔（521）を固定し、挟持枠（10）に固定することを特徴とする調節可能の資料挟持装置。
【考案の詳細な説明】
【技術領域】
【０００１】
本考案は、事務用・学習用の道具、特に資料収容空間が調節可能であり、ルーズリーフと非ルーズリーフの資料を収容する調節可能の資料挟持装置に関する。
【従来の技術】
【０００２】
仕事、学習及び生活の間に、携帯電話、ハンドパソコンなどの情報通信手段を所持する必要があるほかに、時には図表、画面及び写真などの関係資料を参照し、ノートをとる必要がある。したがって、ファイル、ノートブックその他各種の資料を所持することが避けられない。しかし、資料は常に様々な形のもので、例えば、ページがばらばらなものもあるし、一冊に製本されたものもある。また、資料の挟持方法もそれぞれ異なる。例えば、ルーズリーフの場合、穴を開けてもよいが、証明書の場合は穴を開けてはならない。また、絵画、写真の場合は、慎重に保存する必要がある。それぞれ違う挟持方法が必要とされる様々な資料を、如何に同一の装置に収容することができるかという問題について、まだ有効な解決方法がない。これは、常に不便をもたらし、人々は勉強や仕事の必要に応じて、かばんなどの道具で関係資料を携帯することしかできない。
【考案の内容】
【０００３】
本考案は、上記問題を解決するため、穴を開けたルーズリーフ類の資料と非ルーズリーフ類の資料を収容挟持し、且つ収納空間を自由に調整でき、資料のファイルと組み合わせて使用できる調節可能の挟持装置を提供する。
【０００４】
上記目的を実現するため、本考案は、調節可能の挟持装置であって、資料をその中に収納し、且つ挟持することができる一つの挟持枠と、少なくとも一つの挟持部材から構成されており、挟持部材の開口は内側に向いて挟持枠の中に設けられ、それが挟持枠の内部において滑動するることによって挟持枠の内部空間を調節でき、且つ所定の位置に調節したとき固定部材で挟持枠と挟持部材とを固定させることを特徴とする調節可能の挟持装置を与える。
【０００５】
前記挟持枠は、底側の長辺と、それと直交する後側の長辺、及び二つの長辺の両端に設けられた二つの短辺によって囲まれた、二つの側面が開放された直方体状の枠形体である。また、前記二つの短辺上に調節用の縦向きの棒状孔を設け、底側の長辺の上に多数の開口部、カバーに連結するための連結孔及び調節可能の長孔を設け、後側の長辺上にルーズリーフ連接部材を設置するための縦向きの棒状孔と方孔を設ける。
【０００６】
前記挟持部材は、挟持枠の形状と向かい合うU形の溝状物であって、その二つの短辺の上に挟持枠の両短辺上の縦向きの棒状孔と向かい合う連結孔を設けて、その長辺の上に挟持枠の後側の長辺上の棒状孔、方孔と向かい合う縦向きの棒状孔、方孔を設ける。
【０００７】
挟持枠と挟持部材の間は、挟持枠上の棒状孔と方孔、及び挟持部材上の棒状孔、方孔を通じて、一つ又は多数の伸縮可能、且つ取外し自在のルーズリーフ連接部材を連結させる。
【０００８】
前記ルーズリーフ連接部材は、柱状体とスリーブの相互移動自在な連結によって構成されたものであって、柱状体は直径が異なる二つの柱状部から構成され、その直径が小さい柱状部を移動自在にスリーブの内孔の中に挿入し、スリーブの内孔中にスプリングを設け、且つ柱状体の端部とスリーブの密封端部にサイズが比較的小さい方形の連結柱を設け、使用の時それらを挟持枠の後側の長辺上の方孔、及び挟持部材の方孔の中に挿入し、或いは、その中の一つの連結部材の二つの方形連結柱を挟持枠の後側の長辺上の縦向きの棒状孔、及び挟持部材の縦向きの棒状孔に挿入し、それを縦向きの棒状孔に沿って移動させる。
【０００９】
挟持枠の底側の長辺上に、一対又は複数対のルーズリーフ連結部材を設置するためのルーズリーフ連結部材の固定部を設けており、また、各対の固定部上にルーズリーフ連結部材の方形連結柱と対応する方孔を設ける。また、挟持枠の中に、二つの挟持部材を設けることができ、それらの開口を反対方向、又は同一方向に設けて、且つその中の一つの挟持部材、或いは、同時に二つの挟持部材を移動することによって、ルーズリーフあるいは非ルーズリーフ資料を挟持する二つの空間を形成させる。
【００１０】
さらに、挟持枠の底側の長辺の外側に、カバーと連結するための調節可能の連結板を連接させる。連結板は同一の平面に設けられた２枚の運動板によって構成されており、両運動板の上に挟持枠の底側の長辺の連結孔と調節可能の棒状孔と対応する連結孔を設けて、その中の一つの運動板が反対方向に移動することによって幅を調節できる。所定の位置に調節した後、固定部材で挟持枠の底側の長辺の棒状孔と連結板上の棒状孔を固定して、挟持枠に固定させる。
【００１１】
本考案は、それぞれ違う挟持方法が必要とされる様々な資料を、如何に同一の資料挟持装置の中に収納することができるかという問題を有効に解決したものである。本考案の挟持装置は、挟持の厚さと方向につき調節が可能なので、サイズが異なる収納空間を形成させることや、多数の空間に仕切ることもできる。かくて、本考案は、多種多様な収納や挟み方法を実現ことができる。即ち、穴を開けたルーズリーフ類の資料のみならず、非ルーズリーフ類の資料も収納することができる。また、仕切られた空間の中に同時にルーズリーフ類と非ルーズリーフ類の資料を収納することができる。それに、本考案の挟持装置は、従来の資料ファイルと組み合わせて使用することができ、人々の生活、学習と仕事に便利を与える。
【具体的な実施例】
【００１２】
以下の各実施例は、本考案をさらに詳細に説明するためのものであり、本考案にいかなる制限を加えるものでもない。
【００１３】
図１Aにおいて、本考案の調節可能の資料挟持装置は、資料を収納し、且つ挟持ことができる挟持枠（10）と少なくとも一つの挟持部材（20）によって構成されたものである。本実施例において、挟持装置は、挟持枠10と二つの挟持部材（21）、（22）によって構成される。前記挟持枠（10）は図2によって示されている。図2中、挟持枠（10）は、底側の長辺（11）と、それと直交する後側の長辺（12）、及び二つの長辺の両端に設けられた二つの短辺（13）によって囲まれた矩形の直方体である。この直方体の前側と上側は開放され、その上側は資料を装入するために用い、前側は挟持部材20を装入するためにいる。また、挟持枠の二つの短辺（13）上に、挟持枠の中の挟持部材の位置を調節するために、幅方向に沿って縦向きの棒状孔（131）を設ける。底側の長辺（11）の上に、挟持枠の重さを減少するために多数の開口部（111）を設け、また、各開口部111の両側に、カバーに連結するための連結孔（112）及び調節可能の長孔（113）を設ける。そして、後側の長辺（12）上に、ルーズリーフ連接部材を設置するための長さ方向の棒状孔（121）と方孔（122）を設ける。
【００１４】
前記挟持部材（20）の構造について述べると、図3Bに示すように、二つの挟持部材（21）、（22）は、長辺（211）、（221）と、その両端にあって且つそれと直交する短辺（212）、（222）によって構成された、挟持枠（10）の形状に対応するU字形の凹状体である。その二つの短辺（212）と（222）の幅は違っても良く、これにより挟持枠（10）の内部を多様な幅の空間に仕切ることができる。また、各挟持部材の両短辺の上に、挟持枠の両短辺上の縦向きの棒状孔（131）と対応する連結孔（2121）、（2221）を設け、挟持部材の長辺上に挟持枠の後側の長辺上の棒状孔（121）、方孔（122）と対応する縦方向の棒状孔（2111）、（2211）と方孔（2112）、（2212）を設ける。
【００１５】
また、図１A〜図１Dに示すように、前記挟持部材（20）は挟持枠（10）の中に設けられている。一つの挟持部材を用いる場合、当該挟持部材葉その開口部を内側に向けて挟持枠の中に設けられる。本例において、二つの挟持部材（21）、（22）を挟持枠（10）の中に設け、それらの開口部を相対する方向、または同一の方向に向けて設けるときは、上記挟持部材が挟持枠の中に滑動させて挟持枠の内部空間を調節し、且つ異種の資料を収納するため、挟持枠の内部空間を二つの空間に仕切る。
【００１６】
図５A、図５Bは、それぞれ挟持部材を同一の方向に設置する空間仕切りの態様と相対する方向に設置する空間仕切りの態様を示すものである。具体的に言えば、図５Aにおいて、同一の方向に設置された二つの挟持部材によって形成された二つの空間のうち、空間10Aは穴を開けたルーズリーフ類の資料を収納し挟持することができ、空間10Bは穴を開けていない非ルーズリーフ類の資料を収納することができる。また、図５Bにおいて、対向方向に設置された二つの挟持部材によって形成された二つの空間のうち、空間10Cは穴を開けていない非ルーズリーフ類の資料を収納し、空間10Dは穴を開けたルーズリーフ類の資料を収納挟持することができる。上記各挟持部材を所定の位置に調節した後、その両端において、固定ねじ（30）を、挟持枠の二つの短辺上の縦向きの棒状孔（131）と両挟持部材の短辺の連結孔（2121）、（2221）に通し、挟持枠（10）と挟持部材（21）、（22）を固定させる。
【００１７】
図３Aに示すように、ルーズリーフ類の資料を収納し挟持するために、挟持枠（10）と挟持部材（20）の間に、挟持枠上の棒状孔（121）と方孔（122）、及び挟持部材上の棒状孔（2011）、方孔（2012）を通じて、一つ又は多数の伸縮可能、且つ取外し可能のルーズリーフ連接部材（40）を連結させる。当該ルーズリーフ連接部材の構造は図4に示される。つまり、図４Aと４Bに示すように、ルーズリーフ連接部材（40）は、柱状体（41）とスリーブ（42）の相対移動自在な連結によって構成されたものである。柱状体（41）は直径が異なる二つの柱状部（411、412）から構成される。直径が小さい柱状部（411）を運動自在にスリーブ（42）の内孔（422）中に挿入し、それがスリーブの内孔中において軸方向に移動できる。また、スリーブの内孔（422）の中に柱状体押圧用のスプリング（43）を設け、柱状部（412）の反対側端部にサイズが比較的小さい方形の連結柱（413）、スリーブ（42）の密封端部にサイズが比較的小さい方形の連結柱（421）を設ける。これら方形連接柱を使用する時、それらを挟持枠の後側の長辺（12）上の方孔（122）、及び挟持部材の方孔（2112、2212）の中に挿入し、或いは、その中の一つの連結部材の両端の方形連結柱を挟持枠の後側の長辺（12）上の縦向きの棒状孔（121）、及び挟持部材の縦向きの棒状孔（2111、2211）に挿入し、それらを縦向きの棒状孔に沿って移動させて、これによって異なるルーズリーフの孔間の距離に基づき適切な位置に調節する。分解の際は、連結部材の柱状体をスリーブの方向に軽く押すだけで、それを取り外すことができる。また、ルーズリーフ資料を収納する空間の中に非ルーズリーフ資料を収納する必要があるときは、ルーズリーフ連結部材（40）を取り外すことができる。そのため、挟持枠（10）の底側の長辺（11）上にある各開口部（111）の両側に、ルーズリーフ連結部材（40）を収納用の一組又は多数組のルーズリーフ連結部材の固定部（44）を設け（図2に示す）、一組の固定部上にルーズリーフ連結部材の方形連結柱（413、421）と対応する方孔を設ける。かくして、取り外したルーズリーフ連結部材の方形連結柱（413、421）を固定部（44）の方孔中に挿入して固定することができる。
【００１８】
本考案の資料挟持装置と従来の資料ファイルをあわせて使用するため、挟持枠（10）の底側の長辺（11）の外側に、資料ファイルのカバーと連結するための調節可能の連結板（50）を連結する。その構造を図6に示す。図６Cにおいて、連結板（50）は同一の平面に設けられた移動板（51）と移動板（52）によって構成され、両移動板の上に、挟持枠の底側長辺の連結孔（112）および調節可能棒状孔（113）と対応する連結孔（511）と（521）を設けている。図６Aは、両連結板の調節前の構造である。また、図６Bに示すように、移動板の一つを離隔、近接する方向に移動させることによって幅を調節でき、所定位置に調節した後固定部材で挟持枠の底側長辺上の棒状孔（113）及び連結板上の棒状孔（521）を通じてそれを挟持枠（10）に固定させることができる。棒状孔（113）の長さは調節する時の需要に応じて設定することができる。
【００１９】
図7は、資料ファイルにおける本考案の適用状態の概略図である。図７Aは、連結板の調節前の構造に関し、連結板（50）でねじをもって挟持枠の底側長辺上の連結孔（112）、棒状孔（113）及び連結板上の連結孔（511、521）を通じて、挟持枠（10）をカバー（60）に固定させるものである。連結板の調節前、カバー（60）の中央部の背部分は断面弧状である。図７Bに示すように、両移動板（51）と（52）間の距離を大きく調節した後は、カバー（60）の中央背部分の弧度が小さくなり、カバー中により多くの資料を収納することができ、且つカバーの全体形状に影響を与えない。
【図面の簡単な説明】
【００２０】
【図１】図１は、本考案の構造概念図であり、その中、図１Aはルーズリーフ連結部材の使用状態における全体構造に関する立体概念図、図１Bは所定の位置に調節した時の固定状態の概念図、図１Cはルーズリーフ連結部材の非使用状態における全体構造に関する立体概念図、図１Dは所定の位置に調節した時の固定状態の概念図、
【図２】図２は、本考案の挟持枠の構造概念図、
【図３】図３は、本考案の挟持部材の構造概念図であり、その中、図３Aは一つの挟持部材を使用するときの構造概念図、図３Bは二つの挟持部材を使用する構造概念図、
【図４】図４は、本考案のルーズリーフ連結部材の構造概念図であり、その中、図４Aは部材の解体の概念図、図４Bは構造断面図、
【図５】図５は、本考案のルーズリーフ類の資料と非ルーズリーフ類の資料をそれぞれ収納する空間の仕切り状態の構造概念図であり、その中、図５Aは挟持部材を同一方向に設置する空間の仕切り状態の構造概念図、図５Bは挟持部材を対向方向に設置する空間の仕切り状態の構造概念図、
【図６】図６は、本考案の資料挟持装置のカバーと連結するときの構造概念図であり、その中、図６Aは連結板の調節前の構造概念図、図６Bは連結板の調節後の構造概念図、図６Cは、連結板の平面概念図、
【図７】図７は、本考案の資料ファイルに関する応用状態の概念図であり、その中、図７Aは連結板の調節前の構造概念図、図７Bは、連結板の調節後の構造概念図である。
【図１Ａ】
0003137788.tif 000003
【図１Ｂ】
0003137788.tif 000004
【図１Ｃ】
0003137788.tif 000005
【図１Ｄ】
0003137788.tif 000006
【図２】
0003137788.tif 000007
【図３Ａ】
0003137788.tif 000008
【図３Ｂ】
0003137788.tif 000009
【図４Ａ】
0003137788.tif 000010
【図４Ｂ】
0003137788.tif 000011
【図５Ａ】
0003137788.tif 000012
【図５Ｂ】
0003137788.tif 000013
【図６Ａ】
0003137788.tif 000014
【図６Ｂ】
0003137788.tif 000015
【図６Ｃ】
0003137788.tif 000016
【図７Ａ】
0003137788.tif 000017
【図７Ｂ】
0003137788.tif 000018